(57)【特許請求の範囲】
【請求項１】
リール本体に前後方向に摺動可能に支承されるとともに前端にスプールを設けたスプール軸と、このスプール軸の後端に設けられたオシレータと、前記リール本体に設けられたハンドルに駆動連結されて前記リール本体に回転可能に支承されたオシレート歯車と、前記リール本体の前記オシレート歯車と対向する側壁に形成された略楕円形状のカム溝と、一端を前記カム溝に係合させて前記オシレート歯車の略径方向に形成されたピン案内長孔に摺動可能に貫通支承され、他端を前記オシレータに連携させた案内ピンとを備えた魚釣り用リールにおいて、前記略楕円形状のカム溝の長径を前記スプール軸の摺動方向に交差するように傾斜させて形成すると共に、前記オシレート歯車に基端を揺動自在に軸支した回転板の先端両側面に前記カム溝と一端を係合し、他端を前記オシレータに連携する一対の案内ピンを設け、該案内ピンが前記ピン案内長孔内にて前記回転板の基端を揺動可能に軸支する軸の軸芯を中心とした円弧運動をするように形成し、前記案内ピンのいずれか一方を前記ピン案内長孔に貫通し、前記オシレート歯車の回転に伴う前記カム溝に係合した案内ピンの一端の楕円運動により前記回転板をオシレート歯車に対して揺動させて前記オシレート歯車の回転角に対する前記案内ピン他端の移動量を加減するようにしたことを特徴とする魚釣り用リール。
【請求項２】
前記オシレータと連携する案内ピンの他端が、前記カム溝に係合する案内ピンの一端に対して前記回転板を軸支する軸の軸芯を中心にした揺動方向に偏倚していることを特徴とする請求項１に記載の魚釣り用リール。
【請求項３】
前記オシレータと連携する案内ピンの他端が、前記カム溝に係合する案内ピンの一端に対して該案内ピンの一端と前記回転板を軸支する軸の軸芯とを結ぶ直線方向に偏倚していることを特徴とする請求項１乃至請求項２いずれかに記載の魚釣り用リール。
【発明の詳細な説明】
【０００１】
【発明の属する技術分野】
本発明は、魚釣用リールに係り、特にスプールを往復動させる摺動機構に関する。
【０００２】
【従来の技術】
従来、魚釣用リールの摺動機構としては、特公平２−６０２９５号に記載されるようなものが知られている。図１６はこの摺動機構の概略を示す図である。これは、リール本体の左右方向に伸びるハンドル軸（図示せず）と、ハンドル軸と平行な軸に支持されたハンドル軸の回転に連動するオシレート歯車１０１と、リール本体の前後方向に伸びるスプール軸１０２に固定されたオシレート歯車１０１に接するオシレータ１０３に設けられた縦溝１０３ａと、オシレート歯車１０１の径方向に設けられたピン案内長孔１０１ａと、オシレート歯車軸の回りを囲むようにリール本体に前後方向即ち、前記スプール軸の摺動方向を長径とした楕円状のカム溝１０４と、上記長孔１０１ａを貫通し一端がカム溝１０４に係合され他端が縦溝１０３ａに係合された案内ピン１０５とを具備してなるものである。
【０００３】
しかして、ハンドル軸が回されることにより、オシレート歯車１０１が回転し、そのピン案内長孔１０１ａに入り込んだ案内ピン１０５は一端を係合した楕円状のカム溝１０４に追従してオシレート歯車１０１の径方向に設けられたピン案内長孔１０１ａにより案内移動しつつ、楕円状の旋回運動を行う。案内ピン１０５の他端は縦溝１０３ａ内に係合しているので、オシレータ１０３は案内ピン１０５の楕円状の旋回運動に追従して前後に往復運動を行う。従って、スプール軸１０２及び該スプール軸１０２の先端に取り付けられたスプール（図示せず）もリール本体の前方で前後に往復運動を行うことになる。
【０００４】
【発明が解決しようとする課題】
ところが、上述したような魚釣用リールの摺動機構にあっては、案内ピンがオシレート歯車のピン案内長孔とカム溝とに差し込まれているのみであるから、案内ピンが傾き易く、オシレート歯車からオシレータに至る伝動系の動きの円滑性が損なわれ、スプールも前後方向にガタツキを生じ釣糸の巻き取りに支障を来すことになる。また、リールの落下等によりスプールに衝撃荷重が掛かると、スプール軸を介して案内ピンに大きな力が加わるので案内ピンが捩じれたり破損し易くなる。また、カム溝の長辺をスプール軸の向きに合わせなければならず、リール本体の形状、部品の配置等に制約を受ける。さらに、案内ピンはオシレート歯車の歯底円より内側に設けざるを得ないので、オシレータ乃至スプールのストロークをオシレート歯車の直径よりも大きくすることができない。さらにまた、案内ピンが、本体に上下に偏平で前後に長い楕円形のカム溝に拘束されつつ、一定角速度で回転するオシレート歯車の径方向に設けられたピン案内長孔により案内されると、オシレート歯車の上下位置ではオシレータの摺動方向と一致するゆえ速やかな、前後位置ではオシレータの摺動方向と交差するゆえ緩慢な楕円運動をするので、その前後端で急速に反転させてもオシレータの摺動方向を急速に切り換えることができないという問題がある。さらに、図１６に示すようにスプール軸の移動方向とこれと交差する方向とを区画する２本の軸線ｌ1 ，ｌ2 によって仕切られた４つの事象におけるオシレート歯車の１回転のオシレータの摺動量は、図４に破線で示すように、Ｉ事象にあっては、スプール軸が前方向への移動から後方向への移動への方向変換領域にあり、スプール軸の速度は低速摺動域にある。また、ＩＩ事象にあっては、スプール軸が後方向へ移動する移動領域であり、スプール軸の速度はＩ事象の場合に比べ、高速摺動域にある。また、ＩＩＩ事象にあっては、スプール軸が後方向への移動から前方向への移動への方向変換領域にあり、スプール軸の速度は低速摺動域にある。また、ＩＶ事象にあっては、スプール軸が前方向へ移動する移動領域であり、ＩＩ事象の場合と同様に高速摺動域にある。このため、低速摺動域であるＩ事象およびＩＩＩ事象の移動速度に対して、高速摺動域であるＩＩ事象およびＩＶ事象ではスプール軸の移動速度が速くなる問題点がある。従って、これらの速度差により釣糸がスプールに均等には捲回されず、ひいては釣糸が絡むといった問題点がある。
【０００５】
本発明は上述のような問題点を解決することができる摺動機構を備えた魚釣用リールを提供することを目的とする。
【０００６】
【課題を解決するための手段】
本願の請求項１に係る発明は、リール本体（１）に前後方向に摺動可能に支承されるとともに前端にスプール（７）を設けたスプール軸（６）と、このスプール軸（６）の後端に設けられたオシレータ（８）と、前記リール本体（１）に設けられたハンドル（２）に駆動連結されて前記リール本体（１）に回転可能に支承されたオシレート歯車（１０）と、前記リール本体（１）の前記オシレート歯車（１０）と対向する側壁に形成された略楕円形状のカム溝（１ｂ）と、一端を前記カム溝（１ｂ）に係合させて前記オシレート歯車（１０）の略径方向に形成されたピン案内長孔（１０ａ）に摺動可能に貫通支承され、他端を前記オシレータ（８）に連携させた案内ピン（１１ｂ，１１ｃ）とを備えた魚釣り用リールにおいて、前記略楕円形状のカム溝（１ｂ）の長径を前記スプール軸（６）の摺動方向に交差するように傾斜させて形成すると共に、前記オシレート歯車（１０）に基端を揺動自在に軸支した回転板（１１）の先端両側面に前記カム溝（１ｂ）と一端を係合し、他端を前記オシレータ（８）に連携する一対の案内ピン（１１ｂ，１１ｃ）を設け、該案内ピン（１１ｂ，１１ｃ）が前記ピン案内長孔（１０ａ）内にて前記回転板（１１）の基端を揺動可能に軸支する軸（１１ａ）の軸芯を中心とした円弧運動をするように形成し、前記案内ピン（１１ｂ，１１ｃ）のいずれか一方を前記ピン案内長孔（１０ａ）に貫通し、前記オシレート歯車（１０）の回転に伴う前記カム溝（１ｂ）に係合した案内ピンの一端（１１ｂ）の楕円運動により前記回転板（１１）をオシレート歯車（１０）に対して揺動させて前記オシレート歯車（１０）の回転角に対する前記案内ピン他端（１１ｃ）の移動量を加減するようにしたことを特徴とする。
【０００７】
【０００８】
また、本願の請求項２に係る発明は、請求項１にかかわる発明における前記オシレータ（８）と連携する案内ピンの他端（１１ｃ）が、前記カム溝（１ｂ）に係合する案内ピンの一端（１１ｂ）に対して前記回転板（１１）を軸支する軸（１１ａ）の軸芯を中心にした揺動方向に偏倚していることを特徴とする。
【０００９】
また、本願の請求項３に係る発明は、請求項１乃至請求項２のいずれかにかかわる発明における前記オシレータ（８）と連携する案内ピンの他端（１１ｃ）が、前記カム溝（１ｂ）に係合する案内ピンの一端（１１ｂ）に対して該案内ピンの一端（１１ｂ）と前記回転板を軸支する軸（１１ａ）の軸芯とを結ぶ直線方向に偏倚していることを特徴とする
【００１０】
【発明の実施の形態】
以下、添附図面を参照して本発明の実施例について説明する。
【００１１】
図１乃至図３は本発明の第一実施例に係る魚釣り用リールであるスピニングリールで、図１はこの底面断面図である。図中符号１はリール本体であり、このリール本体１にはハンドル２によって回転されるハンドル軸３が左右方向（図１中上下方向）に回転可能に軸支されている。このハンドル軸３には主歯車３ａが一体的に形成されており、この主歯車３ａはリール本体１の前部に前後方向（図１中左右方向）に回転可能に支持された管軸４に形成されているピニオン４ａに噛合されている。管軸４には回転体５が設けられており、管軸４の回転に伴い一体的に回転しうるように構成されている。また、管軸４内にはスプール軸６が軸方向に摺動可能に貫通されており、このスプール軸６の先端にはスプール７が固定されている。また、スプール軸６の基端にはオシレータ８がビス９によって固定されている。
【００１２】
一方、ハンドル軸３には減速歯車３ｂが一体的に形成されており、この減速歯車３ｂはリール本体１に一体的に形成された突起部１ａに回転可能に設けられたオシレート歯車１０に噛合されている。オシレート歯車１０の一側面とオシレータ８との間には回転板１１が設けられている。この回転板１１の基端側には図２に示すように軸１１ａが突設されており、この軸１１ａがオシレート歯車１０の側面に軸支されることにより、回転板１１がオシレート歯車１０に対して揺動可能に設けられている。さらに、回転板１１の先端側の両側面には後述するカム溝１ｂと一端を係合し、他端を前記オシレータ８に連携する一対の案内ピン１１ｂ，１１ｃが突設されている。そして、案内ピンの一端１１ｂはオシレート歯車１０の略径方向に形成されたピン案内長孔１０ａを貫通し、リール本体１に形成された略楕円形状のカム溝１ｂに係合されている。ここで、このカム溝１ｂは図３に示すようにスプール軸６の軸方向、即ち、往復移動方向と長径が交差するように傾斜して形成されており、案内ピンの他端１１ｃはオシレータ８の上下方向に形成された縦溝８ａに係合させることによってオシレータ８に連携されている。
【００１３】
このように構成された魚釣り用リールの作用について説明する。まず、ハンドル２を回転させることにより、ハンドル軸３が回転する。このハンドル軸３の回転により主歯車３ａ、ピニオン４ａを介して管軸４が回転し、ひいては回転体５が回転する。
【００１４】
一方、前述のハンドル軸３の回転により減速歯車３ｂを介してオシレート歯車１０が回転する。このとき、図３に示すように、スプール軸の移動方向とこれと交差する方向とを区画する２本の主軸ｌ1 ，ｌ2 によって仕切られた４つの事象において、Ｉ事象にあっては、スプール軸６が前方向への移動から後方向への移動への方向変換領域にあり、スプール軸６の速度は低速摺動域にある。また、ＩＩ事象にあっては、スプール軸６が後方向へ移動する移動領域であり、スプール軸６の速度はＩ事象の場合に比べ、高速摺動域にある。また、ＩＩＩ事象にあっては、スプール軸６が後方向への移動から前方向への移動への方向変換領域にあり、スプール軸６の速度は低速摺動域にある。また、ＩＶ事象にあっては、スプール軸６が前方向へ移動する移動領域であり、ＩＩ事象の場合と同様に高速摺動域にある。
【００１５】
このため、すべての移動速度が等速状態にあることを理想とするスプール軸６の往復移動にあっては、Ｉ事象およびＩＩＩ事象の低速摺動域にあっては、オシレート歯車１０の回転角当たりの摺動速度を加速し、ＩＩ事象およびＩＶ事象の高速摺動域にあっては、オシレート歯車１０の回転角当たりの摺動速度を減速する機構であることが望ましい。
【００１６】
そして、上述のような本実施例の構成にあっては、Ｉ事象およびＩＩＩ事象ではオシレート歯車１０の回転角当たりのスプール軸６の往復摺動速度を加速し、ＩＩ事象およびＩＶ事象ではオシレート歯車１０の回転角当たりのスプール軸６の往復摺動速度を減速する機構となっている。
【００１７】
すなわち、オシレータ８の縦溝８ａに係合した案内ピンの他端１１ｃがＩＩ事象にある場合、オシレート歯車１０の図３中時計方向の回転に伴い、案内ピンの一端１１ｂは回転板１１を軸支する軸１１ａに対して図中反時計方向（図中矢印Ａ方向）に回動しようとする。この移動は円周方向で見た場合には、反時計方向（図中矢印Ｂ方向）への移動であり、その分だけ減速することとなる。従って、図４中破線で示す点ａから点ｂでのオシレート歯車１０の回転角当たりのオシレータ８の移動量を小さくすることができ、図４中実線で示す等速運動線に近付けることができる。
【００１８】
なお、同じ高速摺動域であるＩＶ事象にあっても、同様に点ｃから点ｄでのオシレータ８の移動量を小さくすることができ、等速運動線に近付けることができる。
【００１９】
次に、オシレータ８の縦溝８ａに係合した案内ピンの他端１１ｃがＩＩＩ事象にある場合について説明する。このとき、図２中時計方向の回転に伴い、案内ピンの一端１１ｂは回転板１１を軸支する軸１１aに対して図中時計方向（図中矢印Ｃ方向）に回動しようとする。この移動は、円周方向でみた場合には、時計方向（図中矢印Ｄ方向）への移動であり、その分だけ加速することとなる。従って、図４中破線で示す点ｂから点ｃでのオシレート歯車１０の回転角当たりのオシレータ８の移動量を大きくすることができ、図４中実線で示す等速運動線に近付けることができる。
【００２０】
なお、同じ低速摺動域であるＩ事象にあっても、同様に点ｄから点ａでのオシレータ８の移動量を大きくすることができ、等速運動線に近付けることができ、上述のように限りなく等速運動に近付けた状態でスプール軸６を往復運動させることができるので、スプール７に釣糸を均一に捲回させることができる。
【００２１】
図５乃至図８は本発明における魚釣り用リールの第二実施例のオシレート歯車１０と回転板１１との関係を示す図であり、図５はスプール軸６に設けられたオシレータ８が後端位置にある際の図である。また、図６は図５中ＶＩ−ＶＩ矢視図、図７は図５中ＶＩＩ−ＶＩＩ矢視図、図８はスプール軸６に設けられたオシレータ８が中間部に位置している際のオシレート歯車１０と回転板１１との関係を示す図である。なお、上述第一実施例と同一部材には同一符号を付し、詳細な説明は省略する。
【００２２】
上述の第一実施例にあっては、回転板１１に形成されたオシレータ８の縦溝８ａに係合する案内ピンの他端１１ｃと、リール本体１のカム溝１ｂに係合する案内ピンの一端１１ｂとが同一軸芯上で一致する位置に形成した場合について説明したのに対し、本実施例においては、案内ピンの他端１１ｃを案内ピンの一端１１ｂに対して該案内ピンの一端１１ｂと前記回転板１１を軸支する軸１１ａの軸芯とを結ぶ直線方向、即ち、オシレート歯車１０の周方向に偏倚させるようにしたものである。このように構成した場合には、オシレータ８の縦溝８ａに係合する案内ピンの他端１１ｃを前記回転板１１を軸支する軸１１ａの軸芯とカム溝１ｂに係合する案内ピンの一端１１ｂとを結ぶ直線方向ヘのピン偏倚量を調整することによって支点である前記回転板１１を軸支する軸１１ａからの力点である案内ピンの一端１１ｂと作用点である案内ピンの他端１１ｃとの長さの調整ができるので、カム溝１ｂの長径と短径との比率の調整を図ることができ、カム溝１ｂを円に近い楕円形状としたり、短径方向に大きく窪めた楕円形状等に形成することができ、カム溝１ｂに係合する案内ピンの一端１１ｂとカム溝１ｂとの駆動伝達抵抗の低減を図ることができるため、カム溝１ｂとこれに係合する案内ピンの一端１１ｂとの摩耗損傷を防止でき、円滑で軽快なスプールの摺動運動を可能とすることができる。
【００２３】
また、案内ピンの他端１１ｃを案内ピンの一端１１ｂに対して前記回転板１１を軸支する軸１１ａの軸芯を中心にした揺動方向、即ち、回転板１１の先端に設けられた案内ピン１１ｂ,１１ｃの移動方向であるオシレート歯車１０の径方向に所定長さだけ偏倚させるようにしても良い。このように構成した場合には、前記回転板１１を軸支する軸１１ａの軸芯を中心にした揺動方向への案内ピンの両端１１ｂ，１１ｃの偏位距離を変更、調整することができるので、任意にスプール７の摺動量を調整することができ、スプール７の糸捲着部の幅の大小に応じて回転板１１を変更するのみで対応することができ、設計の自由度が拡がる。さらに、案内ピンの一端１１ｂをカム溝１ｂの長径より大きく偏倚させることにより、オシレート歯車１０の直径より長いスプール摺動量を確保することができるので、小径なオシレート歯車１０とカム溝１ｂとによってスプール７の摺動量を大きく取ることができ、ひいてはリール本体１の小型、軽量化を図ることができる  また、本発明の第三実施例について説明すると、上述の第一実施例及び第二実施例にあっては、オシレート歯車１０、回転板１１、カム溝１ｂをリール本体１に設けたハンドル軸３の取付位置よりも後方（図１中右方）に配置した場合について説明したが、本発明はこの配置に限定されるものではなく、オシレート歯車１０、回転板１１、カム溝１ｂをリール本体１に設けたハンドル軸３の取付位置よりも前方（図１中左方）に配置し、オシレータ８の縦溝８ａをハンドル軸３の前方に延設して駆動連結するようにしても良い。図９乃至図１２は本発明における魚釣り用リールの第四実施例のオシレート歯車１０と回転板１１との関係を示す図であり、図９はスプール軸６に設けられたオシレータ８が後端位置にある際の図である。また、図１０は図９中Ｘ−Ｘ矢視図、図１１は図９中ＸＩ−ＸＩ矢視図、図１２はスプール軸６が中間部に位置している際のオシレート歯車１０と回転板１１との関係を示す図である。なお、上述した第一実施例と同一部材には同一符号を付し、詳細な説明は省略する。
【００２４】
本実施例は突起部１ａに回転板１１に形成された長孔１１ｄを挿入し、この回転板１１の上方（図１０中上方）から、さらにオシレート歯車１０を回転可能に挿入する。また、回転板１１の案内ピンの一端１１ｂをカム溝１ｂに係合させる。さらに、回転板１１に形成された、この回転板１１の揺動中心位置となる孔１１ｅにオシレート歯車１０に形成された突起部１０ｂを挿入する。このとき、回転板１１の案内ピンの他端１１ｃをオシレート歯車１０のピン案内長孔１０ａに貫通させる。そして、この案内ピンの他端１１ｃをオシレータ８の縦溝８ａに係合させる。このように本実施例は上述した各実施例が回転板１１をオシレート歯車１０の上方に位置させたのに対し、回転板１１をリール本体１とオシレート歯車１０との間に位置させるようにしたものである。さらに、本実施例にあっては、図９において回転板１１の揺動中心位置として機能する突起部１０ｂと、突起部１ａと、案内ピンの他端１１ｃとが一直線上に配設されている。このため、特に高速摺動位置、低速摺動位置で回転する際に、案内ピンの他端１１ｃが突起部１ａ中心（オシレート歯車１０の回転中心）での円周方向に直接移動することとなるので、駆動伝達系でのロスを削減することができる。図１３は本発明における魚釣り用リールの第五実施例の要部を示す図である。なお、上述実施例と同一部材には同一符号を付し、詳細な説明は省略する。
【００２５】
本実施例は、上述した各実施例の如くオシレータ８に縦溝８ａを形成せずに、オシレータ８に連結ガイドピン２１を介してリンク２２の一端を接続し、リンク２２の他端を回転板１１の案内ピンの他端１１ｃに回動可能に接続して案内ピンの他端１１ｃとオシレータ８とを連携するようにしたものである。さらに、リール本体１には連結ガイドピン２１の移動を規制ガイドするガイド部１ｃが形成されている。図１４は本発明における魚釣り用リールの第六実施例の要部を示す図である。なお、上述実施例と同一部材には同一符号を付し、詳細な説明は省略する。
【００２６】
本実施例は、リール本体１に形成されたボス部１ｄにリンク２３の一端を揺動可能に設ける。このリンク２３には２つの長孔２３ａ，２３ｂが穿設されており、一方の長孔２３ａには回転板１１に形成された案内ピンの他端１１ｃが係合され、他方の長孔２３ｂにはオシレータ８が係合されている。このように案内ピンの他端１１ｃとオシレータ８とを連携した場合には、リンク２３の軸支位置に対する案内ピンの他端１１ｃ、オシレータ８の連結位置を適宜変更することにより、案内ピンの他端１１ｃの円運動に対するオシレータ８の往復移動量の拡大、縮小を図ることができ、これを調整することにより、スプール７の糸捲着胴部の幅に応じた移動量の調整を図ることができる。さらに、リンク２３の長孔２３ａ，２３ｂの傾斜角度を変更したり、屈曲させることにより、オシレータ８の摺動速度を部分的に調整することができる。図１５は本発明における魚釣り用リールの第七実施例の要部を示す図である。なお、上述実施例と同一部材には同一符号を付し、詳細な説明は省略する。
【００２７】
本実施例は、回転板１１の案内ピンの他端１１ｃにリンク２４の一端部を揺動可能に設ける。そして、このリンク２４に形成された長孔２４ａにリール本体１に形成されたボス部１ｄおよびスプール軸６の後端部に設けられたオシレータ８をそれぞれ係合させるようにしたものである。このように案内ピンの他端１１ｃとオシレータ８とを連携した場合には、リンク２４の軸支位置に対するボス部１ｄ、オシレータ８の連結位置を適宜変更することにより、案内ピンの他端１１ｃの円運動に対するオシレータ８の往復移動量の拡大、縮小を図ることができ、これを調整することにより、スプール７の糸捲着胴部の幅に応じた移動量の調整を図ることができる。さらに、リンク２４の長孔２４ａの傾斜角度を変更したり、屈曲させることにより、オシレータ８の摺動速度を部分的に調整することができる。
【００２８】
【発明の効果】
本発明は上述した請求項１のように構成したことにより、案内ピンの一端の楕円運動を案内ピンの他端の摺動運動に変換する際にオシレート歯車の回転角度当たりの移動量を加減することができるので、的確な等速摺動運動を可能とし、スプールへ釣り糸を均一に捲回することができ、ひいては釣り糸捲回時の糸崩れや釣り糸役擲時における糸縺れに起因しての糸切れ等のトラブルを防止することができる。また、オシレート歯車に対する回転板の揺動軸芯位置または揺動量を調整することによって、オシレート歯車の回転角度当たりの案内ピン他端の移動量、即ちスプールの往復移動量を調整することができる。さらに、回転板の揺動軸芯位置または揺動量を調整することによって、カム溝の長径と短径との比率を調整することができ、カム溝を円に近い楕円形状や短径方向に大きく窪めた楕円形状等に形成することができるので、案内ピンの一端とカム溝との駆動伝達抵抗の低減を図ることができ、カム溝と案内ピンの一端との摩耗・損傷を防止することができるとともに円滑・軽快なスプールの摺動運動を行なうことができる。回転板の揺動軸芯位置によって前記スプールの摺動方向に対するカム溝の交差方向が調整できるので、ハンドル軸に対してオシレート歯車を近接させて設けることができ、リール本体の形状・部品の配置等の設計自由度が高まり、小型・軽量化を図ることができる。
【００２９】
【００３０】
【００３１】
本発明は上述した請求項２のように構成したことにより、案内ピンの両端１１ｂ，１１ｃの前記回転板１１を軸支する軸１１ａの軸芯を中心にした揺動方向への偏倚距離を調整することにより任意にスプールの移動量の調整を図ることができ、スプールの糸捲着部の幅の大小に応じて回転板を変更するのみで対応することができる。また、案内ピンの他端をカム溝の径より大きく偏倚させることにより、オシレート歯車の直径より長いスプールの移動量を確保することができ、小径なオシレート歯車とカム溝によって大きなスプールの移動量を得ることができ、ひいては、リール本体の小型・軽量化を図ることができる。
【００３２】
本発明は上述した請求項３のように構成したことにより、オシレータと連携する案内ピンの他端を前記回転板を軸支する軸の軸芯とカム溝に係合する案内ピンの一端とを結ぶ直線方向ヘのピン両端の偏倚量を調整することによって支点である前記回転板を軸支する軸からの力点である案内ピンの一端１１ｂと作用点である案内ピンの他端１１ｃとの長さの調整ができるので、カム溝の長径と短径との比率の調整を図ることができ、カム溝を円に近い楕円形状や短径方向に大きく窪めた楕円形状等に形成することができ、カム溝に係合する案内ピンの一端とカム溝との駆動伝達抵抗の低減を図ることができ、カム溝とこれに係合する案内ピンの一端との摩耗・損傷を防止することができるとともに、円滑・軽快なスプールの摺動運動を提供することができる。
【図面の簡単な説明】
【図１】本発明における魚釣り用リールの第一実施例の底面断面図である。
【図２】本発明における魚釣り用リールの第一実施例の要部拡大断面図である。
【図３】本発明における魚釣り用リールの第一実施例のオシレート歯車と回転板との関係を示す図である。
【図４】オシレート歯車１０の回転角度に対するオシレータ８の移動量を示す図である。
【図５】本発明における魚釣り用リールの第二実施例のオシレート歯車と回転板との関係を示す図である。
【図６】図５中ＶＩ−ＶＩ矢視図である。
【図７】図５中ＶＩＩ−ＶＩＩ矢視図である。
【図８】スプール軸が中間部に位置している際のオシレート歯車と回転板との関係を示す図である。
【図９】本発明における魚釣り用リールの第四実施例のオシレート歯車と回転板との関係を示す図である。
【図１０】図９中Ｘ−Ｘ矢視図である。
【図１１】図９中ＸＩ−ＸＩ矢視図である。
【図１２】スプール軸が中間部に位置している際のオシレート歯車と回転板との関係を示す図である。
【図１３】本発明における魚釣り用リールの第五実施例の要部を示す図である。
【図１４】本発明における魚釣り用リールの第六実施例の要部を示す図である。
【図１５】本発明における魚釣り用リールの第七実施例の要部を示す図である。
【図１６】従来の魚釣り用リールの摺動機構の概略を示す図である。
【符号の説明】
１…リール本体
１ｂ…カム溝
６…スプール軸
７…スプール
８…オシレータ
８ａ…縦溝
１０…オシレート歯車
１０ａ…ピン案内長孔
１１ｄ，２３ａ，２３ｂ，２４ａ…長孔
１０ｂ…突起部
１１…回転板
１１ａ…回転板を軸支する軸
１１ｂ，１１ｃ…案内ピンの両端
１１ｅ…孔
２１…連結ガイドピン
２２，２３，２４…リンク
【図１】
0003553268.tif 000002
【図２】
0003553268.tif 000003
【図３】
0003553268.tif 000004
【図４】
0003553268.tif 000005
【図５】
0003553268.tif 000006
【図６】
0003553268.tif 000007
【図７】
0003553268.tif 000008
【図８】
0003553268.tif 000009
【図９】
0003553268.tif 000010
【図１０】
0003553268.tif 000011
【図１１】
0003553268.tif 000012
【図１２】
0003553268.tif 000013
【図１３】
0003553268.tif 000014
【図１４】
0003553268.tif 000015
【図１５】
0003553268.tif 000016
【図１６】
0003553268.tif 000017